(57)【特許請求の範囲】
【請求項１】
収納棚の棚本体に対して開閉可能に取り付けられる収納棚用扉であって、
平板状の扉本体と、金属板を折曲げ加工して形成されると共に前記扉本体の左端部に取り付けられて当該収納棚用扉における左側の小口を構成する左小口構成部材と、金属板を折曲げ加工して形成されると共に前記扉本体の右端部に取り付けられて当該収納棚用扉における右側の小口を構成する右小口構成部材とを備えて、前記左小口構成部材、前記扉本体および前記右小口構成部材が正面視において左側からこの順で並んだ状態で一体化され、
前記左小口構成部材および前記右小口構成部材は、取付け状態において前記扉本体における当該収納棚用扉の正面側に配置される正面パネルと、当該収納棚用扉の裏面側に向かって当該正面パネルの上辺から延出する上端面パネルと、前記裏面側に向かって当該正面パネルの下辺から延出する下端面パネルと、前記裏面側に向かって当該正面パネルの左辺から延出する左端面パネルと、前記裏面側に向かって当該正面パネルの右辺から延出する右端面パネルとをそれぞれ備えると共に、
前記上端面パネルにおける前記裏面側の一辺には、前記正面パネルに対して平行な折返し部が下側に向かって延出するように設けられ、
前記下端面パネルにおける前記裏面側の一辺には、前記正面パネルに対して平行な折返し部が上側に向かって延出するように設けられ、
前記左端面パネルにおける前記裏面側の一辺には、前記正面パネルに対して平行な折返し部が右側に向かって延出するように設けられ、
前記右端面パネルにおける前記裏面側の一辺には、前記正面パネルに対して平行な折返し部が左側に向かって延出するように設けられ、
前記左小口構成部材は、前記上端面パネル、前記下端面パネルおよび前記左端面パネルにそれぞれ設けられた前記折返し部における前記正面側の表面と、前記右端面パネルに設けられた前記折返し部における前記裏面側の表面とが、前記扉本体の厚みと等しい距離だけ当該収納棚用扉の厚み方向に沿って離間するように、前記上端面パネル、前記下端面パネルおよび前記左端面パネルよりも前記右端面パネルが細幅に形成され、
前記右小口構成部材は、前記上端面パネル、前記下端面パネルおよび前記右端面パネルにそれぞれ設けられた前記折返し部における前記正面側の表面と、前記左端面パネルに設けられた前記折返し部における前記裏面側の表面とが、前記扉本体の厚みと等しい距離だけ当該収納棚用扉の厚み方向に沿って離間するように、前記上端面パネル、前記下端面パネルおよび前記右端面パネルよりも前記左端面パネルが細幅に形成され、
前記扉本体は、前記左小口構成部材の前記上端面パネル、前記下端面パネルおよび前記左端面パネルにそれぞれ設けられた前記折返し部と当該左小口構成部材の前記右端面パネルに設けられた前記折返し部との間に前記左端部を差し込まれ、かつ当該扉本体における左側の端面が当該左端面パネルにおける当該右端面パネル側の面に当接させられた状態において当該右端面パネルに設けられた当該折返し部に対して固着されると共に、前記右小口構成部材の前記上端面パネル、前記下端面パネルおよび前記右端面パネルにそれぞれ設けられた前記折返し部と当該右小口構成部材の前記左端面パネルに設けられた前記折返し部との間に前記右端部を差し込まれ、かつ当該扉本体における右側の端面が当該右端面パネルにおける当該左端面パネル側の面に当接させられた状態において当該左端面パネルに設けられた当該折返し部に対して固着され、
前記左小口構成部材における前記右端面パネルに設けられた前記折返し部よりも左寄りの位置に設けられて前記扉本体の前記左端部が当該左小口構成部材の前記正面パネルに向かって移動するのを規制する左側移動規制部材と、前記右小口構成部材における前記左端面パネルに設けられた前記折返し部よりも右寄りの位置に設けられて前記扉本体の前記右端部が当該右小口構成部材の前記正面パネルに向かって移動するのを規制する右側移動規制部材との少なくとも一方の移動規制部材を備えて構成されている収納棚用扉。
【請求項２】
収納棚の棚本体に対して開閉可能に取り付けられる収納棚用扉であって、
平板状の扉本体と、金属板を折曲げ加工して形成されると共に前記扉本体の上端部に取り付けられて当該収納棚用扉における上側の小口を構成する上小口構成部材と、金属板を折曲げ加工して形成されると共に前記扉本体の下端部に取り付けられて当該収納棚用扉における下側の小口を構成する下小口構成部材とを備えて、前記上小口構成部材、前記扉本体および前記下小口構成部材が正面視において上側からこの順で並んだ状態で一体化され、
前記上小口構成部材および前記下小口構成部材は、取付け状態において前記扉本体における当該収納棚用扉の正面側に配置される正面パネルと、当該収納棚用扉の裏面側に向かって当該正面パネルの上辺から延出する上端面パネルと、前記裏面側に向かって当該正面パネルの下辺から延出する下端面パネルと、前記裏面側に向かって当該正面パネルの左辺から延出する左端面パネルと、前記裏面側に向かって当該正面パネルの右辺から延出する右端面パネルとをそれぞれ備えると共に、
前記上端面パネルにおける前記裏面側の一辺には、前記正面パネルに対して平行な折返し部が下側に向かって延出するように設けられ、
前記下端面パネルにおける前記裏面側の一辺には、前記正面パネルに対して平行な折返し部が上側に向かって延出するように設けられ、
前記左端面パネルにおける前記裏面側の一辺には、前記正面パネルに対して平行な折返し部が右側に向かって延出するように設けられ、
前記右端面パネルにおける前記裏面側の一辺には、前記正面パネルに対して平行な折返し部が左側に向かって延出するように設けられ、
前記上小口構成部材は、前記上端面パネル、前記左端面パネルおよび前記右端面パネルにそれぞれ設けられた前記折返し部における前記正面側の表面と、前記下端面パネルに設けられた前記折返し部における前記裏面側の表面とが、前記扉本体の厚みと等しい距離だけ当該収納棚用扉の厚み方向に沿って離間するように、前記上端面パネル、前記左端面パネルおよび前記右端面パネルよりも前記下端面パネルが細幅に形成され、
前記下小口構成部材は、前記下端面パネル、前記左端面パネルおよび前記右端面パネルにそれぞれ設けられた前記折返し部における前記正面側の表面と、前記上端面パネルに設けられた前記折返し部における前記裏面側の表面とが、前記扉本体の厚みと等しい距離だけ当該収納棚用扉の厚み方向に沿って離間するように、前記下端面パネル、前記左端面パネルおよび前記右端面パネルよりも前記上端面パネルが細幅に形成され、
前記扉本体は、前記上小口構成部材の前記上端面パネル、前記左端面パネルおよび前記右端面パネルにそれぞれ設けられた前記折返し部と当該上小口構成部材の前記下端面パネルに設けられた前記折返し部との間に前記上端部を差し込まれ、かつ当該扉本体における上側の端面が当該上端面パネルにおける当該下端面パネル側の面に当接させられた状態において当該下端面パネルに設けられた当該折返し部に対して固着されると共に、前記下小口構成部材の前記下端面パネル、前記左端面パネルおよび前記右端面パネルにそれぞれ設けられた前記折返し部と当該下小口構成部材の前記上端面パネルに設けられた前記折返し部との間に前記下端部を差し込まれ、かつ当該扉本体における下側の端面が当該下端面パネルにおける当該上端面パネル側の面に当接させられた状態において当該上端面パネルに設けられた当該折返し部に対して固着され、
前記上小口構成部材における前記下端面パネルに設けられた前記折返し部よりも上寄りの位置に設けられて前記扉本体の前記上端部が当該上小口構成部材の前記正面パネルに向かって移動するのを規制する上側移動規制部材と、前記下小口構成部材における前記上端面パネルに設けられた前記折返し部よりも下寄りの位置に設けられて前記扉本体の前記下端部が当該下小口構成部材の前記正面パネルに向かって移動するのを規制する下側移動規制部材との少なくとも一方の移動規制部材を備えて構成されている収納棚用扉。
【請求項３】
前記少なくとも一方の移動規制部材は、前記扉本体の前記裏面側に配置される前記折返し部に対して当該当該収納棚用扉の厚み方向において重なる位置に設けられている請求項１または２記載の収納棚用扉。
【請求項４】
前記扉本体は、光透過性を有する板状体で構成されている請求項１から３のいずれかに記載の収納棚用扉。
【請求項５】
請求項１から４のいずれかに記載の収納棚用扉が前記棚本体に対して開閉可能に取り付けられている収納棚。
【発明の詳細な説明】
【技術分野】
【０００１】
本発明は、収納棚の棚本体に対して開閉可能に取り付けられる収納棚用扉、および棚本体に対して収納棚用扉が開閉可能に取り付けられた収納棚に関するものである。
【背景技術】
【０００２】
この種の収納棚用扉および収納棚として、出願人は、複数の扉をロッカー本体に対して開閉可能に取り付けたロッカーを下記の特許文献に開示している。この場合、出願人が開示しているロッカーの扉では、複数の横棒および複数の縦棒が格子状に組み合わされた網板で構成した扉本体と、扉本体の左端部に取り付けられて扉の左小口を構成する左小口構成部材と、扉本体の右端部に取り付けられて扉の右小口を構成する右小口構成部材とを備え、正面視において、左小口構成部材、扉本体および右小口構成部材が左側からこの順で並んで見える構成が採用されている。
【０００３】
また、出願人が開示しているロッカーの扉における左小口構成部材や右小口構成部材は、所定形状に打ち抜き加工した金属板を折り曲げて箱状に形成されている。具体的には、左小口構成部材および右小口構成部材は、扉本体の正面側に配置される正面パネルと、正面パネルの上辺、下辺、左辺および右辺から裏面側に向かってそれぞれ延出する上端面パネル、下端面パネル、左端面パネルおよび右端面パネルとを備えると共に、上端面パネル、下端面パネル、左端面パネルおよび右端面パネルにおける裏面側の一辺に折返し部がそれぞれ設けられている。
【０００４】
この場合、左小口構成部材では、上端面パネル、下端面パネルおよび左端面パネルに設けられた各折返し部における正面側の表面と、右端面パネルに設けられた折返し部における裏面側の表面とが扉本体の厚みと等しい距離だけ扉の厚み方向に沿って離間するように、上端面パネル、下端面パネルおよび左端面パネルよりも右端面パネルが細幅に形成されている。また、右小口構成部材では、上端面パネル、下端面パネルおよび右端面パネルに設けられた各折返し部における正面側の表面と、左端面パネルに設けられた折返し部における裏面側の表面とが扉本体の厚みと等しい距離だけ扉の厚み方向に沿って離間するように、上端面パネル、下端面パネルおよび右端面パネルよりも左端面パネルが細幅に形成されている。
【０００５】
さらに、出願人が開示しているロッカーの扉における扉本体は、左小口構成部材が取り付けられる左端部、および右小口構成部材が取り付けられる右端部に、正面側に向かって折り曲げられた折曲げ部がそれぞれ形成されている。この場合、扉本体に形成された両折曲げ部は、左小口構成部材および右小口構成部材を扉本体に取り付けた状態において、左端部に形成されている折曲げ部の先端が左小口構成部材の正面パネルにおける裏面側の表面に当接し、かつ、右端部に形成されている折曲げ部の先端が右小口構成部材の正面パネルにおける裏面側の表面に当接するようにその長さが規定されている。
【０００６】
この扉の組立てに際しては、左小口構成部材の上端面パネル、下端面パネルおよび左端面パネルに設けられた各折返し部と右端面パネルに設けられた折返し部とで扉本体の左端部を挟持させ、かつ扉本体の左端部に設けられた折曲げ部の先端部を左小口構成部材の正面パネルにおける裏面側の表面に当接させた状態で、左小口構成部材の右端面パネルに設けられた折返し部に扉本体をねじ止めする。同様にして、右小口構成部材の上端面パネル、下端面パネルおよび右端面パネルに設けられた各折返し部と左端面パネルに設けられた折返し部とで扉本体の右端部を挟持させ、かつ扉本体の右端部に設けられた折曲げ部の先端部を右小口構成部材の正面パネルにおける裏面側の表面に当接させた状態で、右小口構成部材の左端面パネルに設けられた折返し部に扉本体をねじ止めする。これにより、扉本体の左端部に左小口構成部材が取り付けられると共に扉本体の右端部に右小口構成部材が取り付けられて正面視矩形状の扉が完成する。
【先行技術文献】
【特許文献】
【０００７】
【特許文献１】特開２０１２−２１９５４６号公報（第９−１８頁、第１−１９図）
【発明の概要】
【発明が解決しようとする課題】
【０００８】
ところが、出願人が上記の特許文献に開示している扉の構成には、以下のような改善すべき課題が存在する。すなわち、出願人が開示しているロッカーの扉では、扉本体に左小口構成部材を取り付けた状態において左小口構成部材の正面パネルにおける裏面側の表面に当接する折曲げ部を扉本体の左端部に設けることで左小口構成部材内において扉本体の左端部が正面パネルに向かって移動するのを阻止すると共に、扉本体に右小口構成部材を取り付けた状態において右小口構成部材の正面パネルにおける裏面側の表面に当接する折曲げ部を扉本体の右端部に設けることで右小口構成部材内において扉本体の右端部が正面パネルに向かって移動するのを阻止する構成が採用されている。
【０００９】
一方、出願人は、上記の特許文献に開示した扉のように、正面視において、左小口構成部材、扉本体および右小口構成部材が左側からこの順で並んで見える趣向性が高いデザインを踏襲しつつ、扉本体の各横棒および各縦棒の間からロッカー本体内に塵埃が侵入するのを回避するために、網板で構成した扉本体に代えて、光透過性を有する樹脂板等で構成した扉本体に左小口構成部材や右小口構成部材を取り付けた扉を試作した。この場合、出願人が開示している扉の構成では、取っ手などが取り付けられる左小口構成部材と、ロッカー本体等に取り付けるための軸部材などが取り付けられる右小口構成部材とが扉本体だけで連結される構成のため、扉本体の強度を十分に高くする必要がある。したがって、樹脂板等で扉本体を構成する場合には、その厚みが十分に厚い板材を採用する必要がある。
【００１０】
この場合、図１９に示すように、出願人が上記の特許文献に開示した扉の構成を踏襲して試作した扉１ｘでは、扉本体２ｘの厚みが十分に厚いため、その左端部等に「折曲げ部」を形成するのが困難となっている。このため、例えば、左小口構成部材３ｘに対して矢印Ｆ１で示す向きで外力が加わったとき（または、扉本体２ｘに対して矢印Ｆ２で示す向きで外力が加わったとき）には、左小口構成部材３ｘ内において扉本体２ｘの左端部が正面パネル３１ｘに向かって矢印Ｇで示すように相対的に移動し、図２０に示すように、扉本体２ｘがねじ止めされている折返し部３５ａｘと右端面パネル３５ｘとの角部が折れ曲がるようにして左小口構成部材３ｘが変形するおそれがある。
【００１１】
このため、出願人は、右端面パネル３５ｘの折返し部３５ａｘに対するねじ止めに加えて、左端面パネル３４ｘの折返し部３４ａｘに対して扉本体２の左端部をねじ止めするように扉１ｘを改良した。しかしながら、図１９に示すように、扉本体２ｘの裏面側に位置している折返し部３４ａｘに扉本体２ｘの左端部をねじ止めするには、折返し部３４ａｘを貫通させたねじを扉本体２ｘに対して矢印Ｈで示すように押し付けてねじ込む必要がある。このため、上記したように「折曲げ部」が存在しない扉本体２ｘが左小口構成部材３ｘ内において矢印Ｇで示すように移動する結果、左小口構成部材３ｘの変形を回避するためのねじ止め作業時に左小口構成部材３ｘが僅かに変形してしまう。また、ねじ止め箇所が多くなることに起因して、必要なねじの本数が多くなると共に組立て工数が増加するため、製造コストも高騰することとなる。したがって、この点を改善するのが好ましい。
【００１２】
本発明は、かかる問題点に鑑みてなされたものであり、製造コストの高騰を招くことなく小口構成部材の変形を回避し得る収納棚用扉、およびそのような収納棚用扉を有する収納棚を提供することを主目的とする。
【課題を解決するための手段】
【００１３】
上記目的を達成すべく請求項１記載の収納棚用扉は、収納棚の棚本体に対して開閉可能に取り付けられる収納棚用扉であって、平板状の扉本体と、金属板を折曲げ加工して形成されると共に前記扉本体の左端部に取り付けられて当該収納棚用扉における左側の小口を構成する左小口構成部材と、金属板を折曲げ加工して形成されると共に前記扉本体の右端部に取り付けられて当該収納棚用扉における右側の小口を構成する右小口構成部材とを備えて、前記左小口構成部材、前記扉本体および前記右小口構成部材が正面視において左側からこの順で並んだ状態で一体化され、前記左小口構成部材および前記右小口構成部材は、取付け状態において前記扉本体における当該収納棚用扉の正面側に配置される正面パネルと、当該収納棚用扉の裏面側に向かって当該正面パネルの上辺から延出する上端面パネルと、前記裏面側に向かって当該正面パネルの下辺から延出する下端面パネルと、前記裏面側に向かって当該正面パネルの左辺から延出する左端面パネルと、前記裏面側に向かって当該正面パネルの右辺から延出する右端面パネルとをそれぞれ備えると共に、前記上端面パネルにおける前記裏面側の一辺には、前記正面パネルに対して平行な折返し部が下側に向かって延出するように設けられ、前記下端面パネルにおける前記裏面側の一辺には、前記正面パネルに対して平行な折返し部が上側に向かって延出するように設けられ、前記左端面パネルにおける前記裏面側の一辺には、前記正面パネルに対して平行な折返し部が右側に向かって延出するように設けられ、前記右端面パネルにおける前記裏面側の一辺には、前記正面パネルに対して平行な折返し部が左側に向かって延出するように設けられ、前記左小口構成部材は、前記上端面パネル、前記下端面パネルおよび前記左端面パネルにそれぞれ設けられた前記折返し部における前記正面側の表面と、前記右端面パネルに設けられた前記折返し部における前記裏面側の表面とが、前記扉本体の厚みと等しい距離だけ当該収納棚用扉の厚み方向に沿って離間するように、前記上端面パネル、前記下端面パネルおよび前記左端面パネルよりも前記右端面パネルが細幅に形成され、前記右小口構成部材は、前記上端面パネル、前記下端面パネルおよび前記右端面パネルにそれぞれ設けられた前記折返し部における前記正面側の表面と、前記左端面パネルに設けられた前記折返し部における前記裏面側の表面とが、前記扉本体の厚みと等しい距離だけ当該収納棚用扉の厚み方向に沿って離間するように、前記上端面パネル、前記下端面パネルおよび前記右端面パネルよりも前記左端面パネルが細幅に形成され、前記扉本体は、前記左小口構成部材の前記上端面パネル、前記下端面パネルおよび前記左端面パネルにそれぞれ設けられた前記折返し部と当該左小口構成部材の前記右端面パネルに設けられた前記折返し部との間に前記左端部を差し込まれ、かつ当該扉本体における左側の端面が当該左端面パネルにおける当該右端面パネル側の面に当接させられた状態において当該右端面パネルに設けられた当該折返し部に対して固着されると共に、前記右小口構成部材の前記上端面パネル、前記下端面パネルおよび前記右端面パネルにそれぞれ設けられた前記折返し部と当該右小口構成部材の前記左端面パネルに設けられた前記折返し部との間に前記右端部を差し込まれ、かつ当該扉本体における右側の端面が当該右端面パネルにおける当該左端面パネル側の面に当接させられた状態において当該左端面パネルに設けられた当該折返し部に対して固着され、前記左小口構成部材における前記右端面パネルに設けられた前記折返し部よりも左寄りの位置に設けられて前記扉本体の前記左端部が当該左小口構成部材の前記正面パネルに向かって移動するのを規制する左側移動規制部材と、前記右小口構成部材における前記左端面パネルに設けられた前記折返し部よりも右寄りの位置に設けられて前記扉本体の前記右端部が当該右小口構成部材の前記正面パネルに向かって移動するのを規制する右側移動規制部材との少なくとも一方の移動規制部材を備えて構成されている。
【００１４】
また、請求項２記載の収納棚用扉は、収納棚の棚本体に対して開閉可能に取り付けられる収納棚用扉であって、平板状の扉本体と、金属板を折曲げ加工して形成されると共に前記扉本体の上端部に取り付けられて当該収納棚用扉における上側の小口を構成する上小口構成部材と、金属板を折曲げ加工して形成されると共に前記扉本体の下端部に取り付けられて当該収納棚用扉における下側の小口を構成する下小口構成部材とを備えて、前記上小口構成部材、前記扉本体および前記下小口構成部材が正面視において上側からこの順で並んだ状態で一体化され、前記上小口構成部材および前記下小口構成部材は、取付け状態において前記扉本体における当該収納棚用扉の正面側に配置される正面パネルと、当該収納棚用扉の裏面側に向かって当該正面パネルの上辺から延出する上端面パネルと、前記裏面側に向かって当該正面パネルの下辺から延出する下端面パネルと、前記裏面側に向かって当該正面パネルの左辺から延出する左端面パネルと、前記裏面側に向かって当該正面パネルの右辺から延出する右端面パネルとをそれぞれ備えると共に、前記上端面パネルにおける前記裏面側の一辺には、前記正面パネルに対して平行な折返し部が下側に向かって延出するように設けられ、前記下端面パネルにおける前記裏面側の一辺には、前記正面パネルに対して平行な折返し部が上側に向かって延出するように設けられ、前記左端面パネルにおける前記裏面側の一辺には、前記正面パネルに対して平行な折返し部が右側に向かって延出するように設けられ、前記右端面パネルにおける前記裏面側の一辺には、前記正面パネルに対して平行な折返し部が左側に向かって延出するように設けられ、前記上小口構成部材は、前記上端面パネル、前記左端面パネルおよび前記右端面パネルにそれぞれ設けられた前記折返し部における前記正面側の表面と、前記下端面パネルに設けられた前記折返し部における前記裏面側の表面とが、前記扉本体の厚みと等しい距離だけ当該収納棚用扉の厚み方向に沿って離間するように、前記上端面パネル、前記左端面パネルおよび前記右端面パネルよりも前記下端面パネルが細幅に形成され、前記下小口構成部材は、前記下端面パネル、前記左端面パネルおよび前記右端面パネルにそれぞれ設けられた前記折返し部における前記正面側の表面と、前記上端面パネルに設けられた前記折返し部における前記裏面側の表面とが、前記扉本体の厚みと等しい距離だけ当該収納棚用扉の厚み方向に沿って離間するように、前記下端面パネル、前記左端面パネルおよび前記右端面パネルよりも前記上端面パネルが細幅に形成され、前記扉本体は、前記上小口構成部材の前記上端面パネル、前記左端面パネルおよび前記右端面パネルにそれぞれ設けられた前記折返し部と当該上小口構成部材の前記下端面パネルに設けられた前記折返し部との間に前記上端部を差し込まれ、かつ当該扉本体における上側の端面が当該上端面パネルにおける当該下端面パネル側の面に当接させられた状態において当該下端面パネルに設けられた当該折返し部に対して固着されると共に、前記下小口構成部材の前記下端面パネル、前記左端面パネルおよび前記右端面パネルにそれぞれ設けられた前記折返し部と当該下小口構成部材の前記上端面パネルに設けられた前記折返し部との間に前記下端部を差し込まれ、かつ当該扉本体における下側の端面が当該下端面パネルにおける当該上端面パネル側の面に当接させられた状態において当該上端面パネルに設けられた当該折返し部に対して固着され、前記上小口構成部材における前記下端面パネルに設けられた前記折返し部よりも上寄りの位置に設けられて前記扉本体の前記上端部が当該上小口構成部材の前記正面パネルに向かって移動するのを規制する上側移動規制部材と、前記下小口構成部材における前記上端面パネルに設けられた前記折返し部よりも下寄りの位置に設けられて前記扉本体の前記下端部が当該下小口構成部材の前記正面パネルに向かって移動するのを規制する下側移動規制部材との少なくとも一方の移動規制部材を備えて構成されている。
【００１５】
さらに、請求項３記載の収納棚用扉は、請求項１または２記載の収納棚用扉において、前記少なくとも一方の移動規制部材は、前記扉本体の前記裏面側に配置される前記折返し部に対して当該当該収納棚用扉の厚み方向において重なる位置に設けられている。
【００１６】
また、請求項４記載の収納棚用扉は、請求項１から３のいずれかに記載の収納棚用扉において、前記扉本体は、光透過性を有する板状体で構成されている。
【００１７】
また、請求項５記載の収納棚は、請求項１から４のいずれかに記載の収納棚用扉が前記棚本体に対して開閉可能に取り付けられている。
【発明の効果】
【００１８】
請求項１記載の収納棚用扉では、左小口構成部材における右端面パネルに設けられて扉本体が固着されている折返し部よりも左寄りの位置に設けられて扉本体の左端部が左小口構成部材の正面パネルに向かって移動するのを規制する左側移動規制部材と、右小口構成部材における左端面パネルに設けられて扉本体が固着されている折返し部よりも右寄りの位置に設けられて扉本体の右端部が右小口構成部材の正面パネルに向かって移動するのを規制する右側移動規制部材との少なくとも一方の移動規制部材を備えて構成されている。また、請求項５記載の収納棚は、上記の収納棚用扉が棚本体に対して開閉可能に取り付けられている。
【００１９】
したがって、請求項１記載の収納棚用扉、および請求項５記載の収納棚によれば、左小口構成部材、右小口構成部材および扉本体に対して収納棚用扉の裏面側に向かう向きの外力が加わったとしても、左小口構成部材内における扉本体の正面パネルに向かう向きへの相対的な移動が左側移動規制部材によって規制され、右小口構成部材内における扉本体の正面パネルに向かう向きへの相対的な移動が右側移動規制部材によって規制されるため、右端面パネルの折返し部の他に扉本体の左端部を左小口構成部材に固着させたり、左端面パネルの折返し部の他に扉本体の右端部を右小口構成部材に固着させたりすることなく、左小口構成部材、右小口構成部材および扉本体に変形が生じるのを好適に回避することができる。これにより、製造コストの高騰を招くことなく、収納棚（収納棚用扉）の耐用寿命を充分に長くすることができる。
【００２０】
請求項２記載の収納棚用扉では、上小口構成部材における下端面パネルに設けられて扉本体が固着されている折返し部よりも上寄りの位置に設けられて扉本体の上端部が上小口構成部材の正面パネルに向かって移動するのを規制する上側移動規制部材と、下小口構成部材における上端面パネルに設けられて扉本体が固着されている折返し部よりも下寄りの位置に設けられて扉本体の下端部が下小口構成部材の正面パネルに向かって移動するのを規制する下側移動規制部材との少なくとも一方の移動規制部材を備えて構成されている。また、請求項５記載の収納棚は、上記の収納棚用扉が棚本体に対して開閉可能に取り付けられている。
【００２１】
したがって、請求項２記載の収納棚用扉、および請求項５記載の収納棚によれば、上小口構成部材、下小口構成部材および扉本体に対して収納棚用扉の裏面側に向かう向きの外力が加わったとしても、上小口構成部材内における扉本体の正面パネルに向かう向きへの相対的な移動が上側移動規制部材によって規制され、下小口構成部材内における扉本体の正面パネルに向かう向きへの相対的な移動が下側移動規制部材によって規制されるため、下端面パネルの折返し部の他に扉本体の上端部を上小口構成部材に固着させたり、上端面パネルの折返し部の他に扉本体の下端部を下小口構成部材に固着させたりすることなく、上小口構成部材、下小口構成部材および扉本体に変形が生じるのを好適に回避することができる。これにより、製造コストの高騰を招くことなく、収納棚（収納棚用扉）の耐用寿命を充分に長くすることができる。
【００２２】
また、請求項３記載の収納棚用扉、および請求項５記載の収納棚によれば、少なくとも一方の移動規制部材を、扉本体の裏面側に配置される折返し部に対して収納棚用扉の厚み方向において重なる位置に設けたことにより、光透過性を有する材料で形成した扉本体を有する収納棚用扉を裏面側から見たときに、移動規制部材が折返し部と重なって視認できない状態となるため、収納棚用扉の裏面側の美観を損ねることなく、小口構成部材や扉本体の変形を好適に回避することができる。
【００２３】
さらに、請求項４記載の収納棚用扉、および請求項５記載の収納棚によれば、光透過性を有する板状体で扉本体を構成したことにより、収納棚用扉を取り付けた収納棚において、収納棚用扉を開けなくても棚本体内に物品が収容されているか否かを両小口構成部材の間の扉本体を透して視認することができ、また、扉本体の光透過率を充分に高くすることで、どのような物品が収容されているかを視認することができる。
【図面の簡単な説明】
【００２４】
【図１】扉１の正面図である。
【図２】図１におけるＡ−Ａ線断面図である。
【図３】扉１の背面図である。
【図４】図３におけるＢ−Ｂ線断面図である。
【図５】扉１における扉本体２の正面図である。
【図６】図５におけるＣ−Ｃ線断面図である。
【図７】扉１における左小口構成部材３および右小口構成部材４の背面図である。
【図８】図７におけるＤ−Ｄ線断面図である。
【図９】左小口構成部材３を裏面側から見た外観斜視図である。
【図１０】左小口構成部材３の断面図である。
【図１１】ロッカー１００の正面図である。
【図１２】扉１Ａの正面図である。
【図１３】図１ＡにおけるＥ−Ｅ線断面図である。
【図１４】扉１Ａの背面図である。
【図１５】上小口構成部材６および下小口構成部材７の断面図である。
【図１６】ロッカー１００Ａの正面図である。
【図１７】小口構成部材５の断面図である。
【図１８】小口構成部材５ａの断面図である。
【図１９】出願人が試作した扉１ｘにおける左端部側の断面図である。
【図２０】左小口構成部材３ｘに対して扉本体２ｘが相対的に移動して左小口構成部材３ｘが変形した状態の断面図である。
【発明を実施するための形態】
【００２５】
以下、収納棚用扉および収納棚の実施の形態について、添付図面を参照して説明する。
【００２６】
図１〜４に示す扉１は、「収納棚用扉」の一例である開き戸タイプの扉であって、図１１に示すように、ロッカー１００のロッカー本体１０１に対して開閉可能に取り付けられてロッカー本体１０１における各収納空間の前面開口部位を閉塞可能に構成されている。この場合、ロッカー１００は、「収納棚」の一例であって、左右両側板、天板、底板、背板、棚板および仕切り板の各板体が金属板によって形成されたロッカー本体１０１（「棚本体」の一例）と、複数の扉１（この例では、１２枚の扉１）とを備えて構成されている。
【００２７】
また、図１〜４に示すように、扉１は、扉本体２、左小口構成部材３および右小口構成部材４を備えて正面視矩形状に形成されている。この場合、この扉１は、図１１に示すように、その左右方向の長さが、ロッカー本体１０１における各収納領域の左右方向の長さと等しく、かつ、その上下方向の長さが、ロッカー本体１０１における各収納領域の上下方向の長さと等しくなるように形成されている。
【００２８】
扉本体２は、図５，６に示すように、前述したように出願人が特許文献に開示している扉における扉本体と同程度の充分な強度を有するように、一例として、厚みが５ｍｍのポリカーボネートの平板で構成されている。この場合、本例の扉１では、一例として、扉本体２が透明色に形成されており（「光透過性を有する板状体」との構成の一例）、この扉本体２を介してロッカー本体１０１内を視認することが可能となっている。また、図５に示すように、扉本体２には、左小口構成部材３が左端部に取り付けられたときに、左小口構成部材３に配設される取っ手１２（図１，３参照）が当接するのを回避するための切欠き２１が設けられている。さらに、扉本体２には、左小口構成部材３をねじ止めするための固定用ねじや、右小口構成部材４をねじ止めするための固定用ねじを挿通可能な挿通用孔２２が形成されている。
【００２９】
左小口構成部材３は、所定形状に打ち抜き加工した金属板を折り曲げて箱状に形成されると共に（「金属板を折曲げ加工して形成され」との構成の一例、図１〜４に示すように、扉本体２の左端部に取り付けられて扉１における左側の小口を構成する。この左小口構成部材３は、図７〜１０に示すように、取付け状態において扉本体２における扉１の正面側に配置される正面パネル３１と、扉１の裏面側に向かって正面パネル３１の上辺から延出する上端面パネル３２と、裏面側に向かって正面パネル３１の下辺から延出する下端面パネル３３と、裏面側に向かって正面パネル３１の左辺から延出する左端面パネル３４と、裏面側に向かって正面パネル３１の右辺から延出する右端面パネル３５とを備えている。
【００３０】
また、この左小口構成部材３は、上端面パネル３２における裏面側の一辺に、正面パネル３１に対して平行な折返し部３２ａが下側に向かって延出するように設けられ、下端面パネル３３における裏面側の一辺に、正面パネル３１に対して平行な折返し部３３ａが上側に向かって延出するように設けられ、左端面パネル３４における裏面側の一辺に、正面パネル３１に対して平行な折返し部３４ａが右側に向かって延出するように設けられ、右端面パネル３５における裏面側の一辺に、正面パネル３１に対して平行な折返し部３５ａが左側に向かって延出するように設けられている。この場合、この左小口構成部材３では、折返し部３２ａ，３３ａ，３４ａにおける正面側の表面と、折返し部３５ａにおける裏面側の表面とが、扉本体２の厚みと等しい距離（本例では、５ｍｍ）だけ扉１の厚み方向に沿って離間するように、上端面パネル３２、下端面パネル３３および左端面パネル３４よりも右端面パネル３５が細幅に（扉１の厚み方向の長さが短く）形成されている。
【００３１】
さらに、この左小口構成部材３には、図７に示すように、上記の正面パネル３１に、ネームプレート取付け部１１（図１，３，４参照）を取り付けるための取付け用孔３１ａと、取っ手１２（図１，３参照）を取り付けるための取付け用孔３１ｂとが形成されている。この場合、本例の扉１に取り付けられているネームプレート取付け部１１は、一例として、樹脂材料で形成されている。また、本例の扉１に取り付けられている取っ手１２は、一例として、その主要部分が樹脂材料で形成されると共に、図示しないロック機構を施錠／解錠するためのキーシリンダが一体的に設けられている。また、左小口構成部材３は、後述するようにして扉本体２を左小口構成部材３にねじ止めするためのねじ孔３５ｂが上記の折返し部３５ａに形成されている。
【００３２】
また、この左小口構成部材３は、図８〜１０に示すように、右端面パネル３５に設けられた折返し部３５ａよりも左寄りの位置に設けられて扉本体２の左端部が正面パネル３１に向かって相対的に移動するのを規制する移動規制部材３６を備えている。この移動規制部材３６は、「少なくとも一方の移動規制部材」としての「左側移動規制部材」の一例であって、図９，１０に示すように、扉本体２の左端部に左小口構成部材３が取り付けられた状態において扉本体２に当接させられる当接片３６ａと、正面パネル３１の裏面側の表面に当接させられる固定片３６ｂと、当接片３６ａおよび固定片３６ｂを連結する連結片３６ｃとで断面コ字状に形成されると共に、一例として、折返し部３５ａ，３４ａと同じ長さに形成されている。また、本例の扉１では、上記の固定片３６ｂを正面パネル３１の裏面に当接させ、かつ連結片３６ｃを左端面パネル３４の裏面に当接させた状態で固定片３６ｂが正面パネル３１にスポット溶接されることで移動規制部材３６が左小口構成部材３に取り付けられている。
【００３３】
この場合、移動規制部材３６は、上記の当接片３６ａおよび固定片３６ｂが左端面パネル３４に設けられた折返し部３４ａと同程度の幅に形成されると共に、折返し部３４ａ（「扉本体の裏面側に配置される折返し部」の一例）に対して扉１の厚み方向（図９，１０における上下方向）において重なるように配設されている。また、本例の移動規制部材３６では、当接片３６ａにおける裏面側の表面（両図における上面）と、折返し部３４ａにおける正面側の表面（両図における下面）とが、扉本体２の厚みと等しい距離（本例では、５ｍｍ）だけ扉１の厚み方向に沿って離間するように、連結片３６ｃの長さが規定されている。
【００３４】
一方、右小口構成部材４は、所定形状に打ち抜き加工した金属板を折り曲げて箱状に形成されると共に（「金属板を折曲げ加工して形成され」との構成の一例、図１〜４に示すように、扉本体２の右端部に取り付けられて扉１における右側の小口を構成する。この右小口構成部材４は、図７，８に示すように、取付け状態において扉本体２における扉１の正面側に配置される正面パネル４１と、扉１の裏面側に向かって正面パネル４１の上辺から延出する上端面パネル４２と、裏面側に向かって正面パネル４１の下辺から延出する下端面パネル４３と、裏面側に向かって正面パネル４１の左辺から延出する左端面パネル４４と、裏面側に向かって正面パネル４１の右辺から延出する右端面パネル４５とを備えている。
【００３５】
また、この右小口構成部材４は、上端面パネル４２における裏面側の一辺に、正面パネル４１に対して平行な折返し部４２ａが下側に向かって延出するように設けられ、下端面パネル４３における裏面側の一辺に、正面パネル４１に対して平行な折返し部４３ａが上側に向かって延出するように設けられ、左端面パネル４４における裏面側の一辺に、正面パネル４１に対して平行な折返し部４４ａが右側に向かって延出するように設けられ、右端面パネル４５における裏面側の一辺に、正面パネル４１に対して平行な折返し部４５ａが左側に向かって延出するように設けられている。この場合、この右小口構成部材４では、折返し部４２ａ，４３ａ，４５ａにおける正面側の表面と、折返し部４４ａにおける裏面側の表面とが、扉本体２の厚みと等しい距離（本例では、５ｍｍ）だけ扉１の厚み方向に沿って離間するように、上端面パネル４２、下端面パネル４３および右端面パネル４５よりも左端面パネル４４が細幅に（扉１の厚み方向の長さが短く）形成されている。
【００３６】
さらに、この右小口構成部材４は、図７に示すように、後述するようにして扉本体２を右小口構成部材４にねじ止めするためのねじ孔４４ｂが上記の折返し部４４ａに形成されている。また、この右小口構成部材４は、図２，４，８に示すように、この扉１をロッカー本体１０１に対して開閉可能に取り付けるための一対の軸部材１０（図１，３参照）を挿通可能な挿通用孔４２ｂ，４３ｂが上記の上端面パネル４２および下端面パネル４３にそれぞれ形成されている。
【００３７】
この場合、本例の扉１では、上記したように、左小口構成部材３にネームプレート取付け部１１や取っ手１２が配設されている。このため、図１に示すように、正面視における左小口構成部材３の左右方向の幅がネームプレート取付け部１１や取っ手１２を取り付け可能に十分に広くなっている。これに対して、ネームプレート取付け部１１や取っ手１２が存在しない右小口構成部材４は、正面視における扉本体２の左右方向の幅（面積）を十分に広くするために、正面視における右小口構成部材４の左右方向の幅が非常に狭くなっている。したがって、本例の扉１では、右小口構成部材４内で扉本体２の右端部が移動するような右小口構成部材４の変形が生じ難くなっているため、この右小口構成部材４には、左小口構成部材３における移動規制部材３６のような「移動規制部材」が設けられていない（「右側移動規制部材」が設けられることなく、「少なくとも一方の移動規制部材」が「左側移動規制部材」だけで構成された「収納棚用扉」の例）。
【００３８】
この扉１は、図２，４，１０に示すように、左小口構成部材３の折返し部３２ａ，３３ａ，３４ａと折返し部３５ａとの間、および左小口構成部材３の折返し部３４ａと移動規制部材３６（当接片３６ａ）との間に左端部が差し込まれた状態の扉本体２が折返し部３５ａにねじ止めされると共に、図２，４に示すように、右小口構成部材４の折返し部４２ａ，４３ａ，４５ａと折返し部４４ａとの間に右端部が差し込まれた状態の扉本体２が折返し部４４ａにねじ止めされている。
【００３９】
具体的には、この扉１の組立てに際しては、まず、上端面パネル３２の折返し部３２ａおよび下端面パネル３３の折返し部３３ａと、右端面パネル３５の折返し部３５ａとの間に扉本体２の左端部を差し込む。この際に、左小口構成部材３に対して扉本体２を十分にスライドさせることで、扉本体２の左端部が左端面パネル３４の折返し部３４ａと移動規制部材３６の当接片３６ａとの間に差し込まれ、扉本体２における左側の端面が左端面パネル３４の裏面に当接した状態となる。次いで、扉本体２の各挿通用孔２２を挿通させた固定用ねじを折返し部３５ａに形成されている各ねじ孔３５ｂにそれぞれねじ込むことにより、左小口構成部材３に対して扉本体２を固定する。これにより、扉本体２に対する左小口構成部材３の取り付けが完了する。
【００４０】
同様にして、上端面パネル４２の折返し部４２ａおよび下端面パネル４３の折返し部４３ａと、左端面パネル４４の折返し部４４ａとの間に扉本体２の右端部を差し込む。この際に、右小口構成部材４に対して扉本体２を十分にスライドさせることで、扉本体２における右側の端面が右端面パネル４５の裏面に当接した状態となる。次いで、扉本体２の各挿通用孔２２を挿通させた固定用ねじを折返し部４４ａに形成されている各ねじ孔４４ｂにそれぞれねじ込むことにより、右小口構成部材４に対して扉本体２を固定する。これにより、扉本体２に対する右小口構成部材４の取り付けが完了し、扉本体２、左小口構成部材３および右小口構成部材４が一体化した状態となる。この後、左小口構成部材３の正面パネル３１にネームプレート取付け部１１や取っ手１２を取り付けることにより、扉１が完成する。なお、ネームプレート取付け部１１や取っ手１２の取り付けに際しては、扉本体２に対する左小口構成部材３の取り付けに先立って実行してもよい。
【００４１】
この場合、本例の扉１では、前述したように、扉本体２が透明色に形成されている。したがって、正面視において、左小口構成部材３、扉本体２および右小口構成部材４がこの順で並ぶように構成されている扉１をロッカー本体１０１に取り付けたロッカー１００では、図１１に示すように、左小口構成部材３および右小口構成部材４の間の扉本体２の部位からロッカー本体１０１内を視認することが可能となっている。
【００４２】
また、本例の扉１では、前述したように、左小口構成部材３が、右端面パネル３５に設けられた折返し部３５ａよりも左寄りの位置（本例では、左端面パネル３４の折返し部３４ａに対して扉１の厚み方向で重なる位置：左小口構成部材３において最も左寄りの位置）に設けられて扉本体２の左端部が正面パネル３１に向かって相対的に移動するのを規制する移動規制部材３６を備えて構成されている。したがって、本例の扉１では、左小口構成部材３に対して図１０に示す矢印Ｆ１で示す向きで外力が加わったり、扉本体２に対して矢印Ｆ２で示す向きで外力が加わったりしたとしても、扉本体２に当接している移動規制部材３６によって、左小口構成部材３内において扉本体２の左端部が正面パネル３１に向かって矢印Ｇで示すように相対的に移動するのが規制される。これにより、左小口構成部材３の変形が好適に回避される。
【００４３】
このように、この扉１では、左小口構成部材３における右端面パネル３５に設けられて扉本体２が固着されている折返し部３５ａよりも左寄りの位置に設けられて扉本体２の左端部が左小口構成部材３の正面パネル３１に向かって移動するのを規制する「左側移動規制部材」としての移動規制部材３６を備えて構成されている。また、このロッカー１００は、上記の扉１がロッカー本体１０１に対して開閉可能に取り付けられている。
【００４４】
したがって、この扉１およびロッカー１００によれば、左小口構成部材３や扉本体２に対して扉１の裏面側に向かう向きの外力が加わったとしても、左小口構成部材３内における扉本体２の正面パネル３１に向かう向きへの相対的な移動が移動規制部材３６によって規制されるため、右端面パネル３５の折返し部３５ａの他に扉本体２の左端部を左小口構成部材３に固着させることなく、左小口構成部材３や扉本体２に変形が生じるのを好適に回避することができる。これにより、製造コストの高騰を招くことなく、ロッカー１００（扉１）の耐用寿命を充分に長くすることができる。
【００４５】
また、この扉１およびロッカー１００によれば、扉本体２の裏面側に配置される折返し部３４ａに対して扉１の厚み方向において重なる位置に移動規制部材３６を配設したことにより、光透過性を有する材料（本例では、透明色のポリカーボネート板）で形成した扉本体２を有する扉１を裏面側から見たときに、移動規制部材３６が折返し部３４ａと重なって視認できない状態となるため、扉１の裏面側の美観を損ねることなく、左小口構成部材３や扉本体２の変形を好適に回避することができる。
【００４６】
さらに、この扉１およびロッカー１００によれば、光透過性を有する板状体（本例では、透明色のポリカーボネート板）で扉本体２を構成したことにより、扉１を取り付けたロッカー１００において、扉１を開けなくてもロッカー本体１０１内に物品が収容されているか否かを左小口構成部材３および右小口構成部材４の間の扉本体２を透して視認することができ、また、扉本体２の光透過率を充分に高くすることで、どのような物品が収容されているかを視認することができる。
【００４７】
次に、収納棚用扉および収納棚の他の形態について、図面を参照して説明する。なお、前述した扉１およびロッカー１００と同一の機能を有する構成要素については、同一の符号を付して重複する説明を省略する。
【００４８】
図１２〜１４に示す扉１Ａは、「収納棚用扉」の他の一例である開き戸タイプの扉であって、図１６に示すように、ロッカー１００Ａのロッカー本体１０１に対して開閉可能に取り付けられてロッカー本体１０１における各収納空間の前面開口部位を閉塞可能に構成されている。この場合、前述した扉１では、正面視において左小口構成部材３、扉本体２および右小口構成部材４が左側からこの順で並ぶように構成されているのに対し、この扉１Ａでは、図１２〜１４に示すように、扉本体２ａの上端部に上小口構成部材６が取り付けられると共に、扉本体２の下端部に下小口構成部材７が取り付けられて、正面視において上小口構成部材６、扉本体２ａおよび下小口構成部材７が上側からこの順で並ぶように構成されている。
【００４９】
この扉１Ａは、「収納棚用扉」の他の一例であって、図１６に示すように、前述した扉１と同様にして、その左右方向の長さが、ロッカー本体１０１における各収納領域の左右方向の長さと等しく、かつ、その上下方向の長さが、ロッカー本体１０１における各収納領域の上下方向の長さと等しくなるように形成されている。
【００５０】
扉本体２ａは、図１３，１４に示すように、一例として、厚みが５ｍｍのポリカーボネートの平板で構成されている。この場合、本例の扉１Ａでは、一例として、扉本体２ａが透明色に形成されており（「光透過性を有する板状体」との構成の一例）、この扉本体２ａを介してロッカー本体１０１内を視認することが可能となっている。また、図１４に示すように、扉本体２ａには、下小口構成部材７が下端部に取り付けられたときに、下小口構成部材７に配設されるロック機構１３が当接するのを回避するための挿通用孔２１ａが設けられている。さらに、扉本体２には、上小口構成部材６をねじ止めするための固定用ねじや、下小口構成部材７をねじ止めするための固定用ねじを挿通可能な挿通用孔（図示せず）が形成されている。
【００５１】
上小口構成部材６は、所定形状に打ち抜き加工した金属板を折り曲げて箱状に形成されると共に（「金属板を折曲げ加工して形成され」との構成の一例、扉本体２ａの上端部に取り付けられて扉１Ａにおける上側の小口を構成する。この上小口構成部材６は、取付け状態において扉本体２ａにおける扉１Ａの正面側に配置される正面パネル６１と、扉１Ａの裏面側に向かって正面パネル６１の上辺から延出する上端面パネル６２と、裏面側に向かって正面パネル６１の下辺から延出する下端面パネル６３と、裏面側に向かって正面パネル６１の左辺から延出する左端面パネル６４と、裏面側に向かって正面パネル６１の右辺から延出する右端面パネル６５とを備えている。
【００５２】
また、この上小口構成部材６は、上端面パネル６２における裏面側の一辺に、正面パネル６１に対して平行な折返し部６２ａが下側に向かって延出するように設けられ、下端面パネル６３における裏面側の一辺に、正面パネル６１に対して平行な折返し部６３ａが上側に向かって延出するように設けられ、左端面パネル６４における裏面側の一辺に、正面パネル６１に対して平行な折返し部６４ａが右側に向かって延出するように設けられ、右端面パネル６５における裏面側の一辺に、正面パネル６１に対して平行な折返し部６５ａが左側に向かって延出するように設けられている。この場合、この上小口構成部材６では、折返し部６２ａ，６４ａ，６５ａにおける正面側の表面と、折返し部６３ａにおける裏面側の表面とが、扉本体２ａの厚みと等しい距離（本例では、５ｍｍ）だけ扉１Ａの厚み方向に沿って離間するように、上端面パネル６２、左端面パネル６４および右端面パネル６５よりも下端面パネル６３が細幅に（扉１Ａの厚み方向の長さが短く）形成されている。
【００５３】
さらに、この上小口構成部材６は、図１４に示すように、上記の正面パネル６１に、ネームプレート取付け部１１（図１２参照）を取り付けるための取付け用孔６１ａが形成されている。また、この上小口構成部材６は、この扉１Ａをロッカー本体１０１（図１６参照）に対して開閉可能に取り付けるための軸部材１０（図１２〜１４参照）を挿通可能な挿通用孔（図示せず）が上記の上端面パネル６２に形成されている。さらに、この上小口構成部材６は、後述するようにして扉本体２ａを上小口構成部材６にねじ止めするためのねじ孔（図示せず）が上記の折返し部６３ａに形成されている。
【００５４】
また、この上小口構成部材６は、図１３，１５に示すように、下端面パネル６３に設けられた折返し部６３ａよりも上寄りの位置に設けられて扉本体２ａの上端部が正面パネル６１に向かって相対的に移動するのを規制する移動規制部材６６を備えている。この移動規制部材６６は、「少なくとも一方の移動規制部材」としての「上側移動規制部材」の一例であって、図１５に示すように、扉本体２ａの上端部に上小口構成部材６が取り付けられた状態において扉本体２ａに当接させられる当接片６６ａと、正面パネル６１の裏面側の表面に当接させられる固定片６６ｂと、当接片６６ａおよび固定片６６ｂを連結する連結片６６ｃとで断面コ字状に形成されると共に、一例として、折返し部６３ａ，６２ａと同じ長さに形成されている。また、本例の扉１Ａでは、上記の固定片６６ｂを正面パネル６１の裏面に当接させ、かつ連結片６６ｃを上端面パネル６２の裏面に当接させた状態で固定片６６ｂが正面パネル６１にスポット溶接に溶接されることで移動規制部材６６が上小口構成部材６に取り付けられている。
【００５５】
この場合、移動規制部材６６は、図１５に示すように、上記の当接片６６ａおよび固定片６６ｂが上端面パネル６２に設けられた折返し部６２ａと同程度の幅に形成されると共に、折返し部６２ａ（「扉本体の裏面側に配置される折返し部」の一例）に対して扉１Ａの厚み方向（図１５における上下方向）において重なるように配設されている。また、本例の移動規制部材６６では、当接片６６ａにおける裏面側の表面（図１５における上面）と、折返し部６２ａにおける正面側の表面（図１５における下面）とが、扉本体２ａの厚みと等しい距離（本例では、５ｍｍ）だけ扉１Ａの厚み方向に沿って離間するように、連結片６６ｃの長さが規定されている。
【００５６】
一方、下小口構成部材７は、所定形状に打ち抜き加工した金属板を折り曲げて箱状に形成されると共に（「金属板を折曲げ加工して形成され」との構成の一例、扉本体２ａの下端部に取り付けられて扉１Ａにおける下側の小口を構成する。この下小口構成部材７は、図１２〜１４に示すように、取付け状態において扉本体２ａにおける扉１Ａの正面側に配置される正面パネル７１と、扉１Ａの裏面側に向かって正面パネル７１の上辺から延出する上端面パネル７２と、裏面側に向かって正面パネル７１の下辺から延出する下端面パネル７３と、裏面側に向かって正面パネル７１の左辺から延出する左端面パネル７４と、裏面側に向かって正面パネル７１の右辺から延出する右端面パネル７５とを備えている。
【００５７】
また、この下小口構成部材７は、上端面パネル７２における裏面側の一辺に、正面パネル７１に対して平行な折返し部７２ａが下側に向かって延出するように設けられ、下端面パネル７３における裏面側の一辺に、正面パネル７１に対して平行な折返し部７３ａが上側に向かって延出するように設けられ、左端面パネル７４における裏面側の一辺に、正面パネル７１に対して平行な折返し部７４ａが右側に向かって延出するように設けられ、右端面パネル７５における裏面側の一辺に、正面パネル７１に対して平行な折返し部７５ａが左側に向かって延出するように設けられている。この場合、この下小口構成部材７では、折返し部７３ａ，７４ａ，７５ａにおける正面側の表面と、折返し部７２ａにおける裏面側の表面とが、扉本体２ａの厚みと等しい距離（本例では、５ｍｍ）だけ扉１Ａの厚み方向に沿って離間するように、下端面パネル７３、左端面パネル７４および右端面パネル７５よりも上端面パネル７２が細幅に（扉１Ａの厚み方向の長さが短く）形成されている。
【００５８】
さらに、この下小口構成部材７は、図１４に示すように、上記の正面パネル７１に、ロック機構１３（図１２参照）を取り付けるための取付け用孔７１ａが形成されている。この場合、本例のロック機構１３は、カードキー１３ａを備えて構成されている。このカードキー１３ａは、施錠状態においてロック機構１３からの取外しが許容されると共に、解錠状態においてロック機構１３からの取外しが阻止されて扉１Ａを開け閉めするための「取っ手」として機能するように構成されている。また、この下小口構成部材７は、この扉１Ａをロッカー本体１０１（図１６参照）に対して開閉可能に取り付けるための軸部材１０（図１２〜１４参照）を挿通可能な挿通用孔（図示せず）が上記の下端面パネル７３に形成されている。さらに、この下小口構成部材７は、後述するようにして扉本体２ａを下小口構成部材７にねじ止めするためのねじ孔（図示せず）が上記の折返し部７２ａに形成されている。
【００５９】
また、この下小口構成部材７は、図１３，１５に示すように、上端面パネル７２に設けられた折返し部７２ａよりも下寄りの位置に設けられて扉本体２ａの下端部が正面パネル７１に向かって相対的に移動するのを規制する移動規制部材７６を備えている。この移動規制部材７６は、「少なくとも一方の移動規制部材」としての「下側移動規制部材」の一例であって、図１５に示すように、扉本体２ａの下端部に下小口構成部材７が取り付けられた状態において扉本体２ａに当接させられる当接片７６ａと、正面パネル７１の裏面側の表面に当接させられる固定片７６ｂと、当接片７６ａおよび固定片７６ｂを連結する連結片７６ｃとで断面コ字状に形成されると共に、一例として、折返し部７２ａ，７３ａと同じ長さに形成されている。また、本例の扉１Ａでは、上記の固定片７６ｂを正面パネル７１の裏面に当接させ、かつ連結片７６ｃを下端面パネル７３の裏面に当接させた状態で固定片７６ｂが正面パネル７１にスポット溶接に溶接されることで移動規制部材７６が下小口構成部材７に取り付けられている。
【００６０】
この場合、移動規制部材７６は、図１５に示すように、上記の当接片７６ａおよび固定片７６ｂが下端面パネル７３に設けられた折返し部７２ａと同程度の幅に形成されると共に、折返し部７２ａ（「扉本体の裏面側に配置される折返し部」の一例）に対して扉１Ａの厚み方向（図１５における上下方向）において重なるように配設されている。また、本例の移動規制部材７６では、当接片７６ａにおける裏面側の表面（図１５における上面）と、折返し部７３ａにおける正面側の表面（図１５における下面）とが、扉本体２ａの厚みと等しい距離（本例では、５ｍｍ）だけ扉１Ａの厚み方向に沿って離間するように、連結片７６ｃの長さが規定されている。
【００６１】
この場合、本例の扉１Ａでは、上記したように、上小口構成部材６にネームプレート取付け部１１が配設されると共に、下小口構成部材７にロック機構１３が配設されている。このため、正面視における上小口構成部材６の上下方向の幅がネームプレート取付け部１１を取り付け可能に十分に広くなっており、また、正面視における下小口構成部材７の上下方向の幅がロック機構１３を取り付け可能に十分に広くなっている。したがって、本例の扉１Ａでは、上小口構成部材６内で扉本体２ａの上端部が移動するような上小口構成部材６の変形や、下小口構成部材７内で扉本体２ａの下端部が移動するような下小口構成部材７の変形を回避するために、上小口構成部材６に移動規制部材６６を配設し、かつ下小口構成部材７に移動規制部材７６を配設している（「少なくとも一方の移動規制部材」が「上側移動規制部材」および「下側移動規制部材」の双方で構成された「収納棚用扉」の例）。
【００６２】
この扉１Ａは、図１３，１５に示すように、上小口構成部材６の折返し部６２ａ，６４ａ，６５ａと折返し部６３ａとの間、および上小口構成部材６の折返し部６２ａと移動規制部材６６（当接片６６ａ）との間に上端部が差し込まれた状態の扉本体２ａが折返し部６３ａにねじ止めされている。同様にして、下小口構成部材７の折返し部７３ａ〜７５ａと折返し部７２ａとの間、および下小口構成部材７の折返し部７３ａと移動規制部材７６（当接片７６ａ）との間に下端部が差し込まれた状態の扉本体２ａが折返し部７２ａにねじ止めされている。なお、扉本体２ａに対する上小口構成部材６や下小口構成部材７の取付け方法については、前述した扉１の組立てに際して扉本体２に左小口構成部材３を取り付けた方法と同様のため、その説明を省略する。
【００６３】
この場合、本例の扉１Ａでは、前述したように、扉本体２ａが透明色に形成されている。したがって、正面視において、上小口構成部材６、扉本体２ａおよび下小口構成部材７がこの順で並ぶように構成されている扉１Ａをロッカー本体１０１に取り付けたロッカー１００Ａでは、図１６に示すように、上小口構成部材６および下小口構成部材７の間の扉本体２ａの部位からロッカー本体１０１内を視認することが可能となっている。
【００６４】
また、本例の扉１Ａでは、前述したように、上小口構成部材６が、下端面パネル６３に設けられた折返し部６３ａよりも上寄りの位置（本例では、上端面パネル６２の折返し部６２ａに対して扉１Ａの厚み方向で重なる位置：上小口構成部材６において最も上寄りの位置）に設けられて扉本体２ａの上端部が正面パネル６１に向かって相対的に移動するのを規制する移動規制部材６６を備えて構成されている。したがって、本例の扉１Ａでは、上小口構成部材６や扉本体２に対して扉１Ａの正面から裏面に向かう向きで外力が加わったとしても、扉本体２ａに当接している移動規制部材６６によって、上小口構成部材６内において扉本体２ａの上端部が正面パネル６１に向かって相対的に移動するのが規制される。これにより、上小口構成部材６の変形が好適に回避される。
【００６５】
同様にして、本例の扉１Ａでは、下小口構成部材７が、上端面パネル７２に設けられた折返し部７２ａよりも下寄りの位置（本例では、下端面パネル７３の折返し部７３ａに対して扉１Ａの厚み方向で重なる位置：下小口構成部材７において最も下寄りの位置）に設けられて扉本体２ａの下端部が正面パネル７１に向かって相対的に移動するのを規制する移動規制部材７６を備えて構成されている。したがって、本例の扉１Ａでは、下小口構成部材７や扉本体２に対して扉１Ａの正面から裏面に向かう向きで外力が加わったとしても、扉本体２ａに当接している移動規制部材７６によって、下小口構成部材７内において扉本体２ａの下端部が正面パネル７１に向かって相対的に移動するのが規制される。これにより、下小口構成部材７の変形が好適に回避される。
【００６６】
このように、この扉１Ａでは、上小口構成部材６における下端面パネル６３に設けられて扉本体２ａが固着されている折返し部６３ａよりも上寄りの位置に設けられて扉本体２ａの上端部が上小口構成部材６の正面パネル６１に向かって移動するのを規制する「上側移動規制部材」としての移動規制部材６６と、下小口構成部材７における上端面パネル７２に設けられて扉本体２ａが固着されている折返し部７２ａよりも下寄りの位置に設けられて扉本体２ａの下端部が下小口構成部材７の正面パネル７１に向かって移動するのを規制する「下側移動規制部材」としての移動規制部材７６の双方を備えて構成されている。また、このロッカー１００Ａは、上記の扉１Ａがロッカー本体１０１に対して開閉可能に取り付けられている。
【００６７】
したがって、この扉１Ａおよびロッカー１００Ａによれば、上小口構成部材６、下小口構成部材７および扉本体２ａに対して扉１Ａの裏面側に向かう向きの外力が加わったとしても、上小口構成部材６内における扉本体２ａの正面パネル６１に向かう向きへの相対的な移動が移動規制部材６６によって規制され、下小口構成部材７内における扉本体２ａの正面パネル７１に向かう向きへの相対的な移動が移動規制部材７６によって規制されるため、下端面パネル６３の折返し部６３ａの他に扉本体２ａの上端部を上小口構成部材６に固着させたり、上端面パネル７２の折返し部７２ａの他に扉本体２ａの下端部を下小口構成部材７に固着させたりすることなく、上小口構成部材６、下小口構成部材７および扉本体２ａに変形が生じるのを好適に回避することができる。これにより、製造コストの高騰を招くことなく、ロッカー１００Ａ（扉１Ａ）の耐用寿命を充分に長くすることができる。
【００６８】
また、この扉１Ａおよびロッカー１００Ａによれば、扉本体２ａの裏面側に配置される折返し部６２ａに対して扉１Ａの厚み方向において重なる位置に移動規制部材６６を配設すると共に、扉本体２ａの裏面側に配置される折返し部７３ａに対して扉１Ａの厚み方向において重なる位置に移動規制部材７６を配設したことにより、光透過性を有する材料（本例では、透明色のポリカーボネート板）で形成した扉本体２ａを有する扉１Ａを裏面側から見たときに、移動規制部材６６が折返し部６２ａと重なって視認できず、移動規制部材７６が折返し部７３ａと重なって視認できない状態となるため、扉１Ａの裏面側の美観を損ねることなく、上小口構成部材６、下小口構成部材７および扉本体２ａの変形を好適に回避することができる。
【００６９】
さらに、この扉１Ａおよびロッカー１００Ａによれば、光透過性を有する板状体（本例では、透明色のポリカーボネート板）で扉本体２ａを構成したことにより、扉１Ａを取り付けたロッカー１００Ａにおいて、扉１Ａを開けなくてもロッカー本体１０１内に物品が収容されているか否かを上小口構成部材６および下小口構成部材７の間の扉本体２ａを透して視認することができ、また、扉本体２ａの光透過率を充分に高くすることで、どのような物品が収容されているかを視認することができる。
【００７０】
なお、「収納棚用扉」、および「収納棚」の構成は、上記の扉１，１Ａの構成に限定されない。例えば、折返し部３５ａ，３４ａと同じ長さの移動規制部材３６を左小口構成部材３に配設した例について説明したが、「収納棚用扉」の厚み方向で折返し部３４ａと重なる位置に、移動規制部材３６よりも短い複数の「左側移動規制部材」を並べて配設することもできる。また、当接片３６ａおよび固定片３６ｂを折返し部３４ａと同程度の幅に形成した移動規制部材３６、当接片６６ａおよび固定片６６ｂを折返し部６２ａと同程度の幅に形成した移動規制部材６６、並びに当接片７６ａおよび固定片７６ｂを折返し部７２ａと同程度の幅に形成した移動規制部材７６を例に挙げて説明したが、「移動規制部材」の「正面パネル」に対する固定力を高めるには、移動規制部材３６，６６，７６における固定片３６ｂ，６６ｂ，７６ｂに相当する要素の幅を広くすればよい。
【００７１】
具体的には、図１７に示す小口構成部材５では、折返し部５２ａ，５３ａ間に挟み込むようにして配設されて折返し部５２ａに固着された扉本体２が小口構成部材５内において正面パネル５１に向かって移動するのを規制する移動規制部材５６を備えている。この移動規制部材５６では、扉本体２の端部に当接させられる当接片５６ａと、正面パネル５１の裏面側の表面に当接させられる固定片５６ｂと、当接片５６ａおよび固定片５６ｂを連結する連結片５６ｃとを備え、当接片５６ａが折返し部５３ａと同程度の幅に形成されると共に、固定片５６ｂが当接片５６ａや折返し部５３ａよりも幅広に形成されている。これにより、移動規制部材５６が正面パネル５１に接する面積が拡くなる結果、移動規制部材５６にぐらつきが生じ難くなると共に、スポット溶接によって移動規制部材５６を正面パネル５１に固定する際に、固定片５６ｂに対して溶接用の電極を容易に接触させることができる。
【００７２】
また、左小口構成部材３における左端面パネル３４の折返し部３４ａに対して扉１の厚み方向で重なる位置に「左側移動規制部材」としての移動規制部材３６を設けた構成を例に挙げて説明したが、「左側移動規制部材」の配設位置は、扉１における移動規制部材３６の配設位置の例に限定されず、右端面パネル３５の折返し部３５ａよりも左寄りの位置、具体的には、図３，７において右下がりの斜線で塗り潰した領域内の任意の位置に規定することができる。
【００７３】
この場合、左小口構成部材３における上端面パネル３２の折返し部３２ａに対して扉１の厚み方向で重なる位置や、左小口構成部材３における下端面パネル３３の折返し部３３ａに対して扉１の厚み方向で重なる位置に「左側移動規制部材」を配設することで、上記のように配設された移動規制部材３６を有する左小口構成部材３を備えた扉１と同様にして、光透過性を有する材料で形成した扉本体２を有する「収納棚用扉」を裏面側から見たときに、「左側移動規制部材」が折返し部３２ａ，３３ａと重なって視認できない状態となるため、「収納棚用扉」の裏面側の美観を損ねることなく、「小口構成部材」の変形を好適に回避することができる。また、一例として、図１８に示す小口構成部材５ａのように、折返し部５３ａとは重ならない位置に移動規制部材５６を配設する構成を採用することにより、正面パネル５１に対して移動規制部材５６を容易に取り付けることが可能となる。
【００７４】
さらに、「少なくとも一方の移動規制部材」としての「左側移動規制部材」に相当する移動規制部材３６だけを備えた構成（右小口構成部材４が「右側移動規制部材」を備えていない構成）を例に挙げて説明したが、扉１における右小口構成部材４にも、１個または複数個の「右側移動規制部材」を配設することができる（「少なくとも一方の移動規制部材」が「左側移動規制部材」および「右側移動規制部材」の双方で構成された例：図示せず）。さらに、例えば、「右小口構成部材」を幅広に形成し「左小口構成部材」を幅狭に形成する場合には、「左小口構成部材」に「左側移動規制部材」を配設せずに、「右小口構成部材」に１個または複数個の「右側移動規制部材」を配設することもできる（「少なくとも一方の移動規制部材」が「右側移動規制部材」だけで構成された例：図示せず）。
【００７５】
また、上小口構成部材６における上端面パネル６２の折返し部６２ａに対して扉１Ａの厚み方向で重なる位置に「上側移動規制部材」としての移動規制部材６６を設けると共に、下小口構成部材７における下端面パネル７３の折返し部７３ａに対して扉１Ａの厚み方向で重なる位置に「下側移動規制部材」としての移動規制部材７６を設けた構成を例に挙げて説明したが、「上側移動規制部材」の配設位置は、扉１Ａにおける移動規制部材６６の配設位置の例に限定されず、下端面パネル６３の折返し部６３ａよりも上寄りの位置、具体的には、図１４において右下がりの斜線で塗り潰した領域内の任意の位置に１個または複数個の「上側移動規制部材」を配設することができ、「下側移動規制部材」の配設位置は、扉１Ａにおける移動規制部材７６の配設位置の例に限定されず、上端面パネル７２の折返し部７２ａよりも下寄りの位置、具体的には、図１４において右下がりの斜線で塗り潰した領域内の任意の位置に１個または複数個の「下側移動規制部材」を配設することができる。
【００７６】
この場合、上小口構成部材６における左端面パネル６４の折返し部６４ａに対して扉１Ａの厚み方向で重なる位置や、上小口構成部材６における右端面パネル６５の折返し部６５ａに対して扉１Ａの厚み方向で重なる位置に「上側移動規制部材」を配設し、下小口構成部材７における左端面パネル７４の折返し部７４ａに対して扉１Ａの厚み方向で重なる位置や、下小口構成部材７における右端面パネル７５の折返し部７５ａに対して扉１Ａの厚み方向で重なる位置に「下側移動規制部材」を配設することで、上記のように配設された移動規制部材３６を有する左小口構成部材３を備えた扉１と同様にして、光透過性を有する材料で形成した扉本体２ａを有する「収納棚用扉」を裏面側から見たときに、「上側移動規制部材」が折返し部６４ａ，６５ａと重なって視認できず、「下側移動規制部材」が折返し部７４ａ，７５ａと重なって視認できない状態となるため、「収納棚用扉」の裏面側の美観を損ねることなく、「上側小口構成部材」や「下側小口構成部材」の変形を好適に回避することができる。
【００７７】
さらに、「少なくとも一方の移動規制部材」としての「上側移動規制部材」に相当する移動規制部材６６、および「下側移動規制部材」に相当する移動規制部材７６の双方を備えた構成を例に挙げて説明したが、例えば、「上小口構成部材」が幅狭の場合には、「上小口構成部材」に「上側移動規制部材」を設けない構成（「少なくとも一方の移動規制部材」が「下側移動規制部材」だけの構成の例：図示せず）を採用することができ、「下小口構成部材」が幅狭の場合には、「下小口構成部材」に「下側移動規制部材」を設けない構成（「少なくとも一方の移動規制部材」が「上側移動規制部材」だけの構成の例：図示せず）を採用することができる。
【００７８】
また、当接片３６ａ（６６ａ，７６ａ）、固定片３６ｂ（６６ｂ，７６ｂ）および  連結片３６ｃ（６６ｃ，７６ｃ）で断面コ字状に形成した移動規制部材３６（６６，７６）を備えた例について説明したが、「左側移動規制部材」、「右側移動規制部材」、「上側移動規制部材」および「下側移動規制部材」の形状はこれに限定されず、「扉本体」の表面に当接可能に「小口構成部材」に取り付けられている限り、任意の形状を採用することができる。例えば、移動規制部材３６における当接片３６ａおよび連結片３６ｃからなるＬ字状の「移動規制部材」を「左側移動規制部材」として左端面パネル３４の裏面、上端面パネル３２の裏面および下端面パネル３３の裏面に固定することができる。同様にして、「右側移動規制部材」、「上側移動規制部材」および「下側移動規制部材」についてもＬ字状に形成することができる。さらに、「移動規制部材」を柱状または筒状に形成し、その突端が「扉本体」の表面に当接するように「正面パネル」の裏面に固定したりすることができる。
【００７９】
また、「固着」の一例としてねじ止めを採用した例について説明したが、ねじ止めに代えて（若しくは、ねじ止めに加えて）、溶接や接着などの各種方法によって「扉本体」を「左小口構成部材（上小口構成部材）」や「右小口構成部材（下小口構成部材）」に対して固着させる構成を採用することができる。加えて、開き戸タイプの扉１，１Ａを例に挙げて説明したが、収納棚用扉の構成はこれに限定されず、引き戸タイプの扉に対しても、本発明を適用することができるのは勿論である。
【符号の説明】
【００８０】
１，１Ａ  扉
２，２ａ  扉本体
３  左小口構成部材
４  右小口構成部材
５，５ａ  小口構成部材
６  上小口構成部材
７  下小口構成部材
３１，４１，５１，６１，７１  正面パネル
３２，４２，６２，７２  上端面パネル
３３，４３，６３，７３  下端面パネル
３４，４４，６４，７４  左端面パネル
３５，４５，６５，７５  右端面パネル
３６，５６，６６，７６  移動規制部材
３２ａ，３３ａ，３４ａ，３５ａ，４２ａ，４３ａ，４４ａ，４５ａ，５２ａ，５３ａ，６２ａ，６３ａ，６４ａ，６５ａ，７２ａ，７３ａ，７４ａ，７５ａ  折返し部
１００，１００Ａ  ロッカー
１０１  ロッカー本体
【図１】
0006296506.tif 000002
【図２】
0006296506.tif 000003
【図３】
0006296506.tif 000004
【図４】
0006296506.tif 000005
【図５】
0006296506.tif 000006
【図６】
0006296506.tif 000007
【図７】
0006296506.tif 000008
【図８】
0006296506.tif 000009
【図９】
0006296506.tif 000010
【図１０】
0006296506.tif 000011
【図１１】
0006296506.tif 000012
【図１２】
0006296506.tif 000013
【図１３】
0006296506.tif 000014
【図１４】
0006296506.tif 000015
【図１５】
0006296506.tif 000016
【図１６】
0006296506.tif 000017
【図１７】
0006296506.tif 000018
【図１８】
0006296506.tif 000019
【図１９】
0006296506.tif 000020
【図２０】
0006296506.tif 000021